(57)【要約】【課題】ＳＦ情報に基づいて改札処理を行うことをユーザに確認させることができる自動改札機を提供する。【解決手段】実施形態によれば、自動改札機は、受信部と、処理部と、出力部と、を備える。受信部は、携帯可能電子装置からＩＤと定期券情報とＳＦ情報とを受信する。処理部は、改札処理日が第１のタイミングで受信された前記定期券情報の有効期間を徒過する第１の条件と、前記第１のタイミングで受信されたＩＤと前記第１のタイミングの後続の第２のタイミングで受信されたＩＤとが一致する第２の条件とを満たす場合、前記第１又は第２のタイミングで受信された前記ＳＦ情報を用いて改札処理を行う。出力部は、前記改札処理に関する情報を出力する。【選択図】図１
2018045487.tif 000002
【特許請求の範囲】
【請求項１】
携帯可能電子装置からＩＤと定期券情報とＳＦ情報とを受信する受信部と、
改札処理日が第１のタイミングで受信された前記定期券情報の有効期間を徒過する第１の条件と、前記第１のタイミングで受信されたＩＤと前記第１のタイミングの後続の第２のタイミングで受信されたＩＤとが一致する第２の条件とを満たす場合、前記第１又は第２のタイミングで受信された前記ＳＦ情報を用いて改札処理を行う処理部と、
前記改札処理に関する情報を出力する出力部と、
を備える、
自動改札機。
【請求項２】
前記処理部は、前記改札処理日が再取得期間を徒過している場合、前記第１のタイミングで受信された前記ＳＦ情報を用いて改札処理を行う、
前記請求項１に記載の自動改札機。
【請求項３】
前記出力部は、前記第１の条件を満たす場合、前記携帯可能電子装置を前記受信部と通信可能な状態にセットすることを促す再取得案内を提示する、
前記請求項１又は２に記載の自動改札機。
【請求項４】
前記出力部は、前記第１の条件を満たす場合、前記有効期間が徒過していることを示す警告案内を提示する、
前記請求項１乃至３の何れか１項に記載の自動改札機。
【請求項５】
前記出力部は、前記改札処理日が前記有効期間から案内表示期間までの間である場合、前記警告案内を提示する、
前記請求項４に記載の自動改札機。
【請求項６】
前記処理部は、ＳＦ情報を用いて改札処理を行ったＳＦ利用回数が第１の閾値を超えている場合、前記第１のタイミングで受信された前記ＳＦ情報を用いて改札処理を行う、
前記請求項１に記載の自動改札機。
【請求項７】
前記出力部は、前記ＳＦ利用回数が第２の閾値を超えていない場合、前記有効期間が徒過していることを示す警告案内を提示する、
前記請求項６に記載の自動改札機。
【請求項８】
前記処理部は、前記携帯可能電子装置のユーザが通行路内にいる場合に、前記第２の条件を満たすか判定する、
前記請求項１に記載の自動改札機。
【請求項９】
前記処理部は、前記自動改札機が設置される駅が前記定期券情報の有効区間内でない場合、前記第１のタイミングで受信された前記ＳＦ情報を用いて改札処理を行う、
前記請求項１に記載の自動改札機。
【請求項１０】
前記出力部は、前記改札処理日が前記有効期間内である場合、前記改札処理日に応じた案内を提示する、
前記請求項１乃至９の何れか１項に記載の自動改札機。
【請求項１１】
前記出力部は、前記改札処理日が第１の期間内である場合、前記改札処理日に応じた案内として第１の案内を提示し、前記改札処理日が第２の期間内である場合、前記改札処理日に応じた案内として第２の案内を提示する、
前記請求項１０に記載の自動改札機。
【発明の詳細な説明】
【技術分野】
【０００１】
本発明の実施形態は、自動改札機に関する。
【背景技術】
【０００２】
駅などにおいて入場を制御する自動改札機には、ユーザが所持するＩＣカードから定期券情報を取得して入場処理を行うものがある。自動改札機は、定期券の有効期間が迫ると表示部などに警告を表示する。
【０００３】
しかしながら、自動改札機は、定期券の有効期間が過ぎると、ユーザへの警告なしにＩＣカードが保有するＳＦ（Ｓｔｏｒｅｄ  Ｆａｒｅ）情報に基づいて改札処理を行うという課題がある。
【先行技術文献】
【特許文献】
【０００４】
【特許文献１】特開２０００−３３１２０２号公報
【発明の概要】
【発明が解決しようとする課題】
【０００５】
上記の課題を解決するために、ＳＦ情報に基づいて改札処理を行うことをユーザに確認させることができる自動改札機を提供する。
【課題を解決するための手段】
【０００６】
実施形態によれば、自動改札機は、受信部と、処理部と、出力部と、を備える。受信部は、携帯可能電子装置からＩＤと定期券情報とＳＦ情報とを受信する。処理部は、改札処理日が第１のタイミングで受信された前記定期券情報の有効期間を徒過する第１の条件と、前記第１のタイミングで受信されたＩＤと前記第１のタイミングの後続の第２のタイミングで受信されたＩＤとが一致する第２の条件とを満たす場合、前記第１又は第２のタイミングで受信された前記ＳＦ情報を用いて改札処理を行う。出力部は、前記改札処理に関する情報を出力する。
【図面の簡単な説明】
【０００７】
【図１】図１は、第１実施形態に係る自動改札機の構成例を示すブロック図である。
【図２】図２は、第１実施形態に係るＩＣカードの構成例を示すブロック図である。
【図３】図３は、第１実施形態に係る自動改札機の動作例を示すフローチャートである。
【図４】図４は、第１実施形態に係る自動改札機の動作例を示すフローチャートである。
【図５】図５は、第２実施形態に係る自動改札機の動作例を示すフローチャートである。
【図６】図６は、第３実施形態に係る自動改札機の動作例を示すフローチャートである。
【図７】図７は、第４実施形態に係る自動改札機の動作例を示すフローチャートである。
【図８】図８は、第５実施形態に係る自動改札機の動作例を示すフローチャートである。
【図９】図９は、第６実施形態に係る自動改札機の動作例を示すフローチャートである。
【発明を実施するための形態】
【０００８】
以下、実施形態について、図面を参照して説明する。  
（第１実施形態）
まず、第１実施形態について説明する。  
図１は、第１実施形態に係る自動改札機１０の構成例を示す。  
第１実施形態に係る自動改札機１０は、改札においてユーザの入出場を制御する。自動改札機１０は、駅の改札口などに設置される。自動改札機１０は、ユーザが所持するＩＣカード２０から得られる情報に基づいて、ユーザの駅構内への入場処理及び駅構内からの出場処理を行う。例えば、自動改札機１０は、ＩＣカード２０から定期券情報などを読み取って、ユーザに対する入場または出場を判定する。自動改札機１０は、入場又は出場の判定結果に基づいて、ユーザの通行を制御する。なお、自動改札機１０は、簡易改札機であってもよい。
【０００９】
図１が示すように、自動改札機１０は、ＣＰＵ１１、メモリ部１２、人間検知部１３、表示部１４、スピーカ部１５、ドア機構１６、通信部１７、ＩＣリーダライタ１８及び磁気券処理部１９などを備える。
【００１０】
ＣＰＵ１１と、メモリ部１２、人間検知部１３、表示部１４、スピーカ部１５、ドア機構１６、通信部１７、ＩＣリーダライタ１８及び磁気券処理部１９とは、互いにデータバスなどで通信可能に接続する。  
なお、自動改札機１０は、適宜必要な構成を追加し、又は、不要な構成を削除してもよい。
【００１１】
ＣＰＵ１１（処理部）は、自動改札機１０全体を制御する。ＣＰＵ１１は、内部キャッシュおよび各種のインターフェースなどを備えても良い。ＣＰＵ１１は、内部メモリ、又はメモリ部１２に予め記憶したプログラムを実行することにより種々の処理を実現する。ＣＰＵ１１は、たとえば、ＣＰＵ１１は、プロセッサである。
【００１２】
なお、ＣＰＵ１１がプログラムを実行することにより実現する各種の機能のうちの一部は、ハードウエア回路により実現されるものであっても良い。この場合、ＣＰＵ１１は、ハードウエア回路により実行される機能を制御する。
【００１３】
メモリ部１２は、揮発性メモリ及び不揮発性メモリなどから構成される。たとえば、メモリ部１２は、予め制御用のプログラム及び制御データなどを格納する。また、メモリ部１２は、ＣＰＵ１１の処理中のデータなどを一時的に格納する。たとえば、メモリ部１２は、ＣＰＵ１１からの命令に基づき種々の実行中のアプリケーションプログラムを格納する。また、メモリ部１２は、アプリケーションプログラムの実行に必要なデータ及びアプリケーションプログラムの実行結果などを格納してもよい。
【００１４】
人間検知部１３は、自動改札機１０が形成する通行路にユーザが進入したこと又は通行路からユーザが退去したことを検知するセンサである。たとえば、人間検知部１３は、通行路の所定の位置（たとえば、通行路の中腹部）にユーザが進入するとユーザを検知する。たとえば、人間検知部１３は、赤外線の遮断を検出して、ユーザの進入を検知する。
【００１５】
また、人間検知部１３は、通行路の所定の位置からユーザが退去することを検知する。たとえば、人間検知部１３は、赤外線が遮断された状態から赤外線を検知すると、ユーザが退去したことを検知する。人間検知部１３がユーザの進入及び退去を検知する方法は、特定の方法に限定されるものではない。
【００１６】
表示部１４（出力部）は、ＣＰＵ１１からの信号に基づいて種々の情報を画像で表示する。たとえば、表示部１４は、通行の可否、又は、読み取りエラーなどのエラーメッセージなどを表示する。表示部１４は、たとえば、液晶ディスプレイなどである。また、表示部１４は、複数の液晶ディスプレイから構成されてもよい。
【００１７】
スピーカ部１５（出力部）は、ＣＰＵ１１からの信号に基づいて種々の情報を音で提示する。たとえば、スピーカ部１５は、通行の可否、又は、読み取りエラーなどを示す警告音又は音声などを出力する。
【００１８】
ドア機構１６は、自動改札機１０を通過するユーザを制御するために設けられるドアである。ドア機構１６は、自動改札機１０が形成する通行路側に設けられる。ドア機構１６は、ＣＰＵ１１からの信号に基づいて、通行不可と判定されたユーザの通行を阻止する。
【００１９】
通信部１７は、上位装置などとデータの送受信を行うインターフェースである。たとえば、通信部１７は、インターネットなどの外部ネットワークを通じて上位装置などと通信するものであってもよい。また、通信部１７は、鉄道事業の内部ネットワークを通じて上位装置などと通信するものであってもよい。通信部１７は、たとえば、ＬＡＮ接続をサポートするインターフェースである。
【００２０】
ＩＣリーダライタ１８（受信部）は、ＩＣカード２０などとデータを非接触で送受信するためのインターフェース装置である。ＩＣリーダライタ１８は、ＩＣカード２０との無線通信を行うためのアンテナ及び通信制御部などにより構成される。ＩＣリーダライタ１８では、ＩＣカード２０に対する電源供給、クロック供給、リセット制御及びデータの送受信などが行われる。ＩＣリーダライタ１８は、アンテナなどから磁界をＩＣカード２０に供給し、電力を供給する。
【００２１】
また、ＩＣリーダライタ１８は、携帯端末などに組み込まれるＩＣチップとデータを非接触で送受信してもよい。たとえば、ＩＣチップは、改札処理に利用可能な非接触式のＩＣカードと同様な機能を有する。
【００２２】
磁気券処理部１９は、磁気定期券又は切符に記録されている磁気情報を読み取り、又は、磁気定期券又は切符に磁気情報を書き込む。
【００２３】
次に、ＩＣカード２０（携帯可能電子装置）について説明する。  
ＩＣカード２０は、ＩＣリーダライタ１８などの外部装置から電力などの供給を受けて活性化される（動作可能な状態になる）。
【００２４】
次に、ＩＣカード２の構成例について説明する。  
図２は、実施形態に係るＩＣカード２０の構成例を概略的に示すブロック図である。  
ＩＣカード２０は、プラスチックなどで形成されたカード状の本体Ｃを有する。ＩＣカード２０は、本体Ｃ内にモジュールＭが内蔵される。モジュールＭは、ＩＣチップＣａ及び通信部としての外部インターフェース（たとえば、通信部２５）とが接続された状態で一体的に形成され、ＩＣカード２０の本体Ｃ内に埋設される。
【００２５】
図２に示す構成例において、ＩＣカード２０は、モジュールＭなどを備える。モジュールＭは、通信部２５及びＩＣチップＣａなどを備える。ＩＣチップＣａは、ＣＰＵ２１、ＲＯＭ２２、ＲＡＭ２３及びＮＶＭ２４などを備える。
【００２６】
これらの各部は、データバスを介して互いに接続する。なお、ＩＣカード２は、適宜必要な構成を追加し、又は、不要な構成を削除してもよい。
【００２７】
ＣＰＵ２１は、ＩＣカード２０全体の制御を司る制御部として機能する。ＣＰＵ２１は、ＲＯＭ２２又はＮＶＭ２４に記憶される制御プログラム及び制御データに基づいて種々の処理を行う。たとえば、ＣＰＵ２１は、ＲＯＭ２２に記憶されているプログラムを実行することにより、ＩＣカード２０の動作制御又はＩＣカード２の運用形態に応じた種々の処理を行う。
【００２８】
なお、ＣＰＵ２１がプログラムを実行することにより実現する各種の機能のうちの一部は、ハードウエア回路により実現されるものであっても良い。この場合、ＣＰＵ２１は、ハードウエア回路により実行される機能を制御する。
【００２９】
ＲＯＭ２２は、予め制御用のプログラム及び制御データなどを記憶する不揮発性のメモリである。ＲＯＭ２２は、製造段階で制御プログラム及び制御データなどを記憶した状態でＩＣカード２０に組み込まれる。即ち、ＲＯＭ２２に記憶される制御プログラム及び制御データは、予めＩＣカード２０の仕様などに応じて組み込まれる。
【００３０】
ＲＡＭ２３は、揮発性のメモリである。ＲＡＭ２３は、ＣＰＵ２１の処理中のデータなどを一時的に格納する。たとえば、ＲＡＭ２３は、計算用バッファ、受信用バッファ及び送信用バッファとして機能する。計算用バッファは、ＣＰＵ２１が実行する種々の演算処理の結果などを一時的に保持する。受信用バッファは、通信部２５を介してＩＣカード処理装置１から受信するコマンドデータなどを保持する。送信用バッファは、通信部２５を介してＩＣカード処理装置１へ送信するメッセージ（レスポンスデータ）などを保持する。
【００３１】
ＮＶＭ２４は、例えば、ＥＥＰＲＯＭ（登録商標）又はフラッシュＲＯＭなどのデータの書き込み及び書換えが可能な不揮発性のメモリにより構成される。ＮＶＭ２４は、ＩＣカード２の運用用途に応じて制御プログラム、アプリケーション、及び種々のデータを格納する。例えば、ＮＶＭ２４では、プログラムファイル及びデータファイルなどが作成される。作成された各ファイルは、制御プログラム及び種々のデータなどが書き込まれる。
【００３２】
ＮＶＭ２４は、記憶領域２４ａ乃至２４ｃなどを備える。  
記憶領域２４ａは、ＩＣカード２０を特定するＩＤを格納する。たとえば、ＩＤは、数字、文字、記号又はそれらの組合せである。記憶領域２４ａは、ＩＣカード２０の製造時などにおいてＩＤを格納する。
【００３３】
記憶領域２４ｂは、定期券情報を格納する。定期券情報は、定期券に関する情報である。定期券情報は、有効区間及び有効期間などを備える。
【００３４】
記憶領域２４ｃは、ＳＦ（Ｓｔｏｒｅｄ  Ｆａｒｅ）情報を格納する。ＳＦ情報は、ＩＣカード２０にチャージされた金額を示す。たとえば、記憶領域２４ｃは、上位装置からのコマンドに基づいてＳＦ情報を格納及び更新する。
【００３５】
通信部２５は、ＩＣリーダライタ１８とデータを送受信するためのインターフェースである。通信部２５は、ＩＣリーダライタ１８との無線通信を行うための変復調回路などの通信制御部とアンテナとにより構成される。たとえば、ＩＣカード２０は、アンテナ及び変復調回路などを介してＩＣリーダライタ１８からの電波を受信する。ＩＣカード２０は、その電波から図示しない電源部により動作電源及び動作クロックを生成して活性化する。
【００３６】
なお、ＩＣカード２０の構成を備える携帯可能電子装置は、モバイル端末などであってもよい。また、携帯可能電子装置は、さらに、表示部などを備えてもよい。
【００３７】
次に、自動改札機１０のＣＰＵ１１が実現する機能について説明する。  
まず、ＣＰＵ１１は、ＩＣカード２０からＩＤ、定期券情報及びＳＦ情報を取得する機能を有する。
【００３８】
たとえば、ＣＰＵ１１は、ＩＣリーダライタ１８にＩＣカード２０が翳されたか判定する。ＣＰＵ１１は、ＩＣカード２０が翳されたと判定すると、ＩＣリーダライタ１８を通じて、ＩＤ、定期券情報及びＳＦ情報を取得するコマンドをＩＣカード２０へ送信する。ＣＰＵ１１は、ＩＣリーダライタ１８を通じて、当該コマンドに対するレスポンスとしてＩＤ、定期券情報及びＳＦ情報を受信する。
【００３９】
また、ＣＰＵ１１は、改札処理を行う改札処理日が定期券情報の有効期間内である場合、改札処理日に応じた案内をユーザに提示する機能を有する。  
たとえば、ＣＰＵ１１は、改札処理日に応じて複数の案内を設定し、改札処理日に対応する案内を提示する。ここでは、ＣＰＵ１１は、３つの案内を設定するものとする。
【００４０】
たとえば、ＣＰＵ１１は、改札処理日が第１の期間内であるか判定する。たとえば、第１の期間は、有効期間の末日の２週間前から１週間前までの期間である。ＣＰＵ１１は、改札処理日が第１の期間内であると判定すると、第１の案内を提示する。たとえば、ＣＰＵ１１は、第１の案内として、表示部１４に、定期券の有効期間が迫っていることを示すメッセージを表示する。
【００４１】
また、ＣＰＵ１１は、改札処理日が第１の期間内でないと判定すると、改札処理日が第２の期間内であるか判定する。たとえば、第２の期間は、有効期間の末日の１週間前から３日前までの期間である。ＣＰＵ１１は、改札処理日が第２の期間内であると判定すると、第２の案内を提示する。たとえば、ＣＰＵ１１は、第２の案内として、表示部１４に、定期券の有効期間が迫っていることを示すメッセージを表示し、表示部１４の画面全体を赤又は黄色などにする。また、ＣＰＵ１１は、第１の案内とは異なる色（赤又は黄色など）でメッセージを表示してもよい。また、ＣＰＵ１１は、画面を点滅させてもよい。
【００４２】
また、ＣＰＵ１１は、改札処理日が第２の期間内でないと判定すると、改札処理日が第３の期間内であるか判定する。たとえば、第３の期間は、有効期間の末日から３日前までの期間である。ＣＰＵ１１は、改札処理日が第３の期間内であると判定すると、第３の案内を提示する。たとえば、ＣＰＵ１１は、第３の案内として、第２の案内に加えてスピーカ部１５を通じて音声による警告を出力する。
【００４３】
なお、ＣＰＵ１１は、案内を２つ又は４つ以上設定してもよい。ＣＰＵ１１が設定する案内の個数及び内容は、特定の構成に限定されるものではない。
【００４４】
また、ＣＰＵ１１は、改札処理日が定期券情報の有効期間を徒過している場合（第１の条件を満たす場合）、ＩＣカード２０から再度ＩＤを受信する機能を有する。
【００４５】
たとえば、ＣＰＵ１１は、入場処理時において、改札処理日が定期券情報の有効期間を徒過していると判定すると、表示部１４に、有効期間が徒過していることを示すメッセージ（警告案内）を表示する。また、ＣＰＵ１１は、表示部１４に、ＩＣカード２０をＩＣリーダライタ１８と通信可能な状態にセットすることを促すメッセージ（再タッチ案内）（再取得案内）を表示する。たとえば、再タッチ案内は、ＩＣカード２０をＩＣリーダライタ１８に翳すことを促す案内である。たとえば、ＣＰＵ１１は、再タッチ案内として、ＩＣリーダライタ１８を所定の色（たとえば、赤）に点灯させてもよい。なお、ＣＰＵ１１は、再タッチを受け付けるとＳＦ情報を用いて改札処理を行うことを示すメッセージを表示してもよい。また、ＣＰＵ１１は、警告案内又は再取得案内として、音声案内又は警告音などを出力してもよい。
【００４６】
また、ＩＣカード２０の構成を備える携帯可能電子装置が翳された場合、ＣＰＵ１１は、有効期間が徒過していること又は再翳しを要求することを示す情報を携帯可能電子装置へ送信してもよい。携帯可能電子装置は、当該情報を受信すると、表示部などに有効期間が徒過していること又は再翳しを要求することを表示してもよい。
【００４７】
ＣＰＵ１１は、ＩＣリーダライタ１８を通じて、ＩＣカード２０が再度翳されたか判定する。ＩＣカード２０が再度翳されたと判定すると、ＣＰＵ１１は、ＩＣリーダライタ１８を通じてＩＣカード２０からＩＤを取得する。
【００４８】
また、ＣＰＵ１１は、改札処理日が定期券情報の有効期間経過後から所定の期間までの間である場合に、ＩＣカード２０からＩＤを受信する。たとえば、ＣＰＵ１１は、改札処理日が定期券情報の有効期間から３週間経過前である場合には、ＩＣカード２０からＩＤを受信する。
【００４９】
ＣＰＵ１１は、最初に受信したＩＤと再度受信したＩＤとが一致すると（第２の条件を満たすと）、ＳＦ情報を用いて改札処理を行う機能を有する。  
たとえば、ＣＰＵ１１は、ＩＤを取得すると、最初に取得したＩＤと再度翳されたＩＣカード２０から取得したＩＤとが一致するか判定する。ＣＰＵ１１は、両ＩＤが一致すると判定すると、ＳＦ情報を用いて改札処理を行う。なお、ＣＰＵ１１は、最初に取得したＳＦ情報を用いて改札処理を行ってもよい。また、ＣＰＵ１１は、再度翳されたＩＣカード２０からＳＦ情報を取得し、当該ＳＦ情報に用いて改札処理を行ってもよい。
【００５０】
なお、ＣＰＵ１１は、両ＩＤが一致しないと判定すると、エラーで停止してもよい。また、ＣＰＵ１１は、翳されたＩＣカード２０からの情報に基づいて改札処理を行ってもよい。
【００５１】
次に、自動改札機１０の動作例について説明する。  
図３は、自動改札機１０の動作例について説明するためのフローチャートである。  
自動改札機１０のＣＰＵ１１は、ＩＣリーダライタ１８を通じてＩＣカード２０からデータを取得したか判定する（Ｓ１１）。ＩＣカード２０からデータを取得していないと判定すると（Ｓ１１、ＮＯ）、ＣＰＵ１１は、Ｓ１１に戻る。
【００５２】
ＩＣカード２０からデータを取得したと判定すると（Ｓ１１、ＹＥＳ）（第１のタイミング）、ＣＰＵ１１は、取得したデータに定期券情報が含まれるか判定する（Ｓ１２）。取得したデータに定期券情報が含まれると判定すると（Ｓ１２、ＹＥＳ）、ＣＰＵ１１は、改札処理日（本日）が定期券情報の有効期間内であるか判定する（Ｓ１３）。
【００５３】
改札処理日が定期券情報の有効期間内であると判定すると（Ｓ１３、ＹＥＳ）、ＣＰＵ１１は、改札処理日が第１の期間内であるか判定する（Ｓ１４）。改札処理日が第１の期間内であると判定すると（Ｓ１４、ＹＥＳ）、ＣＰＵ１１は、第１の案内を提示する（Ｓ１５）。
【００５４】
改札処理日が第１の期間内でないと判定すると（Ｓ１４、ＮＯ）、ＣＰＵ１１は、改札処理日が第２の期間内であるか判定する（Ｓ１６）。改札処理日が第２の期間内であると判定すると（Ｓ１６、ＹＥＳ）、ＣＰＵ１１は、第２の案内を提示する（Ｓ１７）。
【００５５】
改札処理日が第２の期間内でないと判定すると（Ｓ１６、ＮＯ）、ＣＰＵ１１は、改札処理日が第３の期間内であるか判定する（Ｓ１８）。改札処理日が第３の期間内であると判定すると（Ｓ１８、ＹＥＳ）、ＣＰＵ１１は、第３の案内を提示する（Ｓ１９）。
【００５６】
改札処理日が第３の期間内でないと判定した場合（Ｓ１８、ＮＯ）、第１の案内を提示した場合（Ｓ１５）、第２の案内を提示した場合（Ｓ１７）及び第３の案内を提示した場合（Ｓ１９）、ＣＰＵ１１は、定期券情報で改札処理を行う（Ｓ２０）。定期券情報で改札処理を行うと、ＣＰＵ１１は、動作を終了する。
【００５７】
改札処理日が定期券情報の有効期間内でないと判定すると（Ｓ１３、ＮＯ）、ＣＰＵ１１は、改札処理日が有効期間から所定の期間経過しているか判定する（Ｓ２１）。改札処理日が有効期間から所定の期間経過していないと判定すると（Ｓ２１、ＮＯ）、ＣＰＵ１１は、警告案内を提示する（Ｓ２２）。警告案内を提示すると、ＣＰＵ１１は、再タッチを促す再タッチ案内を提示する（Ｓ２３）。
【００５８】
再タッチを促す再タッチ案内を提示すると、ＣＰＵ１１は、ＩＣリーダライタ１８を通じてＩＣカード２０からデータを取得したか判定する（Ｓ２４）。ＩＣカード２０からデータを取得していないと判定すると（Ｓ２４、ＮＯ）、ＣＰＵ１１は、Ｓ２４に戻る。
【００５９】
ＩＣカード２０からデータを取得したと判定すると（Ｓ２４、ＹＥＳ）（第１のタイミングに後続する第２のタイミング）、ＣＰＵ１１は、データが含むＩＤとＳ１１で取得したデータが含むＩＤとが一致するか判定する（Ｓ２５）。
【００６０】
両ＩＤが一致したと判定すると（Ｓ２５、ＹＥＳ）、ＣＰＵ１１は、ＳＦ情報を用いて改札処理を行う（Ｓ２６）。
【００６１】
また、改札処理日が有効期間から所定の期間経過したと判定すると（Ｓ２１、ＹＥＳ）、ＣＰＵ１１は、Ｓ２６に進む。
【００６２】
両ＩＤが一致しないと判定すると（Ｓ２５、ＮＯ）、ＣＰＵ１１は、Ｓ１２に戻る。ＳＦ情報を用いて改札処理を行うと、ＣＰＵ１１は、動作を終了する。
【００６３】
また、取得したデータに定期券情報が含まれないと判定すると（Ｓ１２、ＮＯ）、ＣＰＵ１１は、Ｓ２６に進む。
【００６４】
なお、ＣＰＵ１１は、自動改札機１０が設置される駅が定期券情報の有効区間外であっても上記の動作を行ってもよい。また、ＣＰＵ１１は、ＩＣカード２０からＳＦ情報を取得できない場合には、定期券情報のＳ２１以降を実行しなくともよい。
【００６５】
以上のように構成された自動改札機は、改札処理日が定期券情報の有効期間内でない場合において、ユーザにＩＣカード２０の再タッチを要求することができる。自動改札機は、ユーザがＩＣカード２０を再タッチするとＳＦ情報を用いて改札処理を行う。その結果、自動改札機は、ユーザにＳＦ情報を用いて改札処理を行うことを確認させることができる。
【００６６】
また、自動改札機は、再タッチを受け付ければ、ＳＦ情報を利用して改札処理を行うことができる。その結果、自動改札機は、ユーザにＳＦ情報の利用停止の解除などの操作をさせることなく、ＳＦ情報を用いて改札処理を行うことができる。
【００６７】
また、自動改札機は、定期券情報の有効期間の残り期間に応じて異なる案内を提示する。その結果、自動改札機は、有効期間が迫っていることを示す案内の提示にユーザが慣れてしまうことを防止することができる。
【００６８】
また、自動改札機は、定期券情報の有効期間から所定の期間経過後においては、再タッチを受け付けることなく、ＳＦ情報を用いて改札処理を行う。通常ユーザは、有効期間経過後所定の期間新たに定期券を購入しない場合、定期券を購入する意志を有しないものと認められる。その結果、自動改札機は、ユーザがもはや定期券を購入する意志がない場合においても継続して再タッチを要求することを防止することができる。
（第２実施形態）
次に、第２実施形態について説明する。  
第２実施形態に係る自動改札機１０は、ＳＦ情報を用いて改札処理を行った回数が所定の閾値を超える場合に再タッチを受け付けることなくＳＦ情報を用いて改札処理を行う点で第１実施形態の自動改札機１０と異なる。従って、その他の点については同一の符号を付して詳細な説明を省略する。
【００６９】
図２は、第２実施形態に係るＩＣカード２０’の構成例を示す。  
図２が示すように、ＮＶＭ２４は、さらに記憶領域２４ｄを備える。  
記憶領域２４ｄは、定期券情報の有効期間経過後にＳＦ情報を用いて改札処理を行ったＳＦ利用回数を格納する。たとえば、記憶領域２４ｄは、ＳＦ情報を用いて入場処理を行ったＳＦ利用回数を格納する。
【００７０】
たとえば、ＣＰＵ２１は、自動改札機１０からのコマンドに基づいて記憶領域２４ｄのＳＦ利用回数を更新する。  
また、ＣＰＵ２１は、記憶領域２４ｂに新たに定期券情報を格納した場合、記憶領域２４ｄのＳＦ利用回数をリセットしてもよい。
【００７１】
次に、ＣＰＵ１１が実現する機能について説明する。  
ＣＰＵ１１は、ＳＦ利用回数が所定の回数を超えていない場合には、ＩＣカード２０からＩＤを受信する。たとえば、ＣＰＵ１１は、ＩＣリーダライタ１８を通じてＩＣカード２０にＳＦ利用回数を取得するコマンドを送信する。ＣＰＵ１１は、ＩＣリーダライタ１８を通じてＩＣカード２０から当該コマンドのレスポンスとしてＳＦ利用回数を受信する。なお、ＣＰＵ１１は、ＩＤ、定期券情報及びＳＦ情報の取得と同時にＳＦ利用回数を取得してもよい。たとえば、ＣＰＵ１１は、ＩＤ、定期券情報、ＳＦ情報及びＳＦ利用回数を取得するコマンドをＩＣカード２０へ送信し、各データを取得してもよい。
【００７２】
ＣＰＵ１１は、取得したＳＦ利用回数が所定の閾値を超えているか判定する。たとえば、ＣＰＵ１１は、ＳＦ利用回数が５回を超えているか判定する。ＣＰＵ１１は、ＳＦ利用回数が所定の閾値を超えている場合には、ＩＣカード２０の再翳しを要求する。
【００７３】
また、ＣＰＵ１１は、ＩＣカード２０にＳＦ利用回数を格納する機能を有する。  
たとえば、ＣＰＵ１１は、ＳＦ情報を用いて改札処理を行うと、取得したＳＦ利用回数に１を加えた回数をＳＦ利用回数としてＩＣカード２０に格納する。たとえば、ＣＰＵ１１は、ＩＣリーダライタ１８を通じてＩＣカード２０に当該ＳＦ利用回数を格納するコマンドを送信する。
【００７４】
次に、自動改札機１０の動作例について説明する。  
図５は、自動改札機１０の動作例について説明するためのフローチャートである。自動改札機１０は、図３に示すようなＳ１１乃至Ｓ２０の動作と図５に示す各動作とを行う。Ｓ１１乃至Ｓ２０については、第１実施形態と同様であるため図示を省略する。また、図５において、第１実施形態と同様の動作については、同一の符号を付して説明を省略する。  
ここでは、Ｓ１１において、ＣＰＵ１１は、ＳＦ利用回数を取得したものとする。
【００７５】
改札処理日が定期券情報の有効期間内でないと判定すると（Ｓ１３、ＮＯ）、ＣＰＵ１１は、ＳＦ利用回数が所定の閾値を超えているか判定する（Ｓ３１）。ＳＦ利用回数が所定の閾値を超えていると判定すると（Ｓ３１、ＹＥＳ）、ＣＰＵ１１は、Ｓ２６に進む。
【００７６】
ＳＦ利用回数が所定の閾値を超えていないと判定すると（Ｓ３１、ＮＯ）、Ｓ２２に進む。
【００７７】
ＳＦ情報を用いて改札処理を行うと（Ｓ２６）、ＣＰＵ１１は、ＩＣカード２０にＳＦ処理回数に１を加えた値を新たなＳＦ処理回数として格納する（Ｓ３２）。ＳＦ処理回数を格納すると、ＣＰＵ１１は、動作を終了する。
【００７８】
なお、ＣＰＵ１１は、ＳＦ利用回数が所定の閾値を超えている場合、又は、ＩＣカード２０から定期券情報を取得できなかった場合、Ｓ３２を実行しなくともよい。
【００７９】
以上のように構成された自動改札機は、ＳＦ利用回数が所定の回数を超えると、再タッチを受け付けることなく、ＳＦ情報を用いて改札処理を行う。通常ユーザは、ＳＦ情報を用いて改札処理を数回行っている場合、定期券を購入する意志を有しないものと認められる。そのため、自動改札機は、ユーザが定期券を購入する意志がない場合に継続して再タッチを要求することを防止することができる。
（第３実施形態）
次に、第３実施形態について説明する。  
第３実施形態に係る自動改札機１０は、有効期間が徒過していることを示す警告案内を提示する期間と再タッチを要求する期間とが異なる点で第１実施形態の自動改札機１０と異なる。従って、その他の点については同一の符号を付して詳細な説明を省略する。
【００８０】
まず、ＣＰＵ１１が実現する機能について説明する。  
ＣＰＵ１１は、定期券情報の有効期間経過後、案内表示期間が経過するまで、有効期間が徒過していることを示す警告案内を提示する。たとえば、案内表示期間は、２週間である。
【００８１】
また、ＣＰＵ１１は、改札処理日が定期券情報の有効期間経過後から再タッチ期間（再取得期間）までの間である場合に、ＩＣカード２０から再度ＩＤを受信する。  
たとえば、ＣＰＵ１１は、改札処理日が有効期間経過後再タッチ期間経過前であれば、再タッチ案内を表示する。ＣＰＵ１１は、再タッチ案内を表示すると、ＣＰＵ１１は、ＩＣリーダライタ１８を通じて、ＩＣカード２０が再度翳されたか判定する。ＩＣカード２０が再度翳されたと判定すると、ＣＰＵ１１は、ＩＣリーダライタ１８を通じてＩＣカード２０からＩＤを取得する。たとえば、再タッチ期間は、１週間である。
【００８２】
なお、案内表示期間は、再タッチ期間より長くとも短くともよい。案内表示期間及び再タッチ期間は、特定の構成に限定されるものではない。
【００８３】
次に、自動改札機１０の動作例について説明する。  
図６は、自動改札機１０の動作例について説明するためのフローチャートである。自動改札機１０は、図３に示すようなＳ１１乃至Ｓ２０の動作と図６に示す各動作とを行う。Ｓ１１乃至Ｓ２０については、第１実施形態と同様であるため図示を省略する。また、図６において、第１実施形態と同様の動作については、同一の符号を付して説明を省略する。
【００８４】
改札処理日が定期券情報の有効期間内でないと判定すると（Ｓ１３、ＮＯ）、ＣＰＵ１１は、改札処理日が案内表示期間を経過しているか判定する（Ｓ４１）。改札処理日が案内表示期間を経過していないと判定すると（Ｓ４１、ＮＯ）、ＣＰＵ１１は、Ｓ２２に進む。
【００８５】
改札処理日が案内表示期間を経過していると判定すると（Ｓ４１、ＹＥＳ）、ＣＰＵ１１は、改札処理日が再タッチ期間を経過しているか判定する（Ｓ４２）。改札処理日が再タッチ期間を経過してないと判定すると（Ｓ４２、ＮＯ）、ＣＰＵ１１は、Ｓ２３に進む。
【００８６】
改札処理日が再タッチ期間を経過していると判定すると（Ｓ４２、ＹＥＳ）、ＣＰＵ１１は、Ｓ２６に進む。
【００８７】
なお、自動改札機１０は、第２実施形態に係る自動改札機１０の特徴を備えてもよい。
【００８８】
以上のように構成された自動改札機は、定期券情報の有効期間が徒過していることを示す警告案内の表示期間と、ＳＦ情報を用いた改札処理を行うための再タッチを要求する期間とを異にすることができる。その結果、自動改札機は、警告案内の表示と、再タッチの要求とを柔軟に行うことができる。
（第４実施形態）
次に、第４実施形態について説明する。  
第４実施形態に係る自動改札機１０は、有効期間が徒過していることを示す警告案内を提示するＳＦ利用回数の閾値と再タッチを要求するＳＦ利用回数の閾値とが異なる点で第２実施形態の自動改札機１０と異なる。従って、その他の点については同一の符号を付して詳細な説明を省略する。
【００８９】
まず、ＣＰＵ１１が実現する機能について説明する。  
ＣＰＵ１１は、ＳＦ利用回数が第１の閾値を超えるまで、有効期間が徒過していることを示す警告案内を提示する。たとえば、第１の閾値は、「１０」である。
【００９０】
また、ＣＰＵ１１は、ＳＦ利用回数が第２の閾値を超えるまで場合には、ＩＣカード２０からＩＤを受信する。たとえば、第２の閾値は、「５」である。
【００９１】
なお、第１の閾値は、第２の閾値より大きくても小さくてもよい。第１の閾値及び第２の閾値は、特定の構成に限定されるものではない。
【００９２】
次に、自動改札機１０の動作例について説明する。  
図７は、自動改札機１０の動作例について説明するためのフローチャートである。自動改札機１０は、図３に示すようなＳ１１乃至Ｓ２０の動作と図７に示す各動作とを行う。Ｓ１１乃至Ｓ２０については、第１実施形態と同様であるため図示を省略する。また、図７において、第２実施形態と同様の動作については、同一の符号を付して説明を省略する。
【００９３】
改札処理日が定期券情報の有効期間内でないと判定すると（Ｓ１３、ＮＯ）、ＣＰＵ１１は、ＳＦ利用回数が第１の閾値を超えているか判定する（Ｓ５１）。ＳＦ利用回数が第１の閾値を超えていないと判定すると（Ｓ５１、ＮＯ）、ＣＰＵ１１は、Ｓ２２に進む。
【００９４】
ＳＦ利用回数が第１の閾値を超えていると判定すると（Ｓ５１、ＹＥＳ）、ＣＰＵ１１は、ＳＦ利用回数が第２の閾値を超えているか判定する（Ｓ５２）。ＳＦ利用回数が第２の閾値を超えていないと判定すると（Ｓ５２、ＮＯ）、ＣＰＵ１１は、Ｓ２３に進む。
【００９５】
ＳＦ利用回数が第２の閾値を超えていると判定すると（Ｓ５２、ＹＥＳ）、ＣＰＵ１１は、Ｓ２６に進む。
【００９６】
なお、自動改札機１０は、第３実施形態に係る自動改札機１０の特徴を備えてもよい。
【００９７】
以上のように構成された自動改札機は、定期券情報の有効期間が徒過していることを示す警告案内を表示するためのＳＦ利用回数の閾値と、ＳＦ情報を用いた改札処理を行うための再タッチを要求するためのＳＦ利用回数の閾値とを異にすることができる。その結果、自動改札機は、警告案内の表示と、再タッチの要求とを柔軟に行うことができる。
（第５実施形態）
次に、第５実施形態について説明する。  
第５実施形態に係る自動改札機１０は、再タッチの待機中にユーザが通行路から退去すると当該ユーザに対する処理を終了する点で第１実施形態の自動改札機１０と異なる。従って、その他の点については同一の符号を付して詳細な説明を省略する。
【００９８】
まず、ＣＰＵ１１が実現する機能について説明する。  
ＣＰＵ１１は、人間検知部１３を通じて、再タッチの待機中にユーザが通行路内にいるか判定する機能を有する。  
たとえば、ＣＰＵ１１は、再タッチ案内を表示すると、ユーザが通行路内にいるか判定する。
【００９９】
また、ＣＰＵ１１は、ユーザが通行路内にいると判定すると、ＩＣカード２０からＩＤを受信する機能を有する。  
たとえば、ＣＰＵ１１は、ユーザが通行路内にいると判定している間は、再タッチ案内を表示し、ＩＣカード２０がＩＣリーダライタ１８に翳されたか判定する。ＣＰＵ１１は、ＩＣカード２０がＩＣリーダライタ１８に翳されたと判定すると、ＩＣカード２０からＩＤを取得する。
【０１００】
ユーザが通行路内にいないと判定すると、ＣＰＵ１１は、当該ユーザに対する処理を終了する。たとえば、ＣＰＵ１１は、再タッチ案内の表示を終了する。また、ＣＰＵ１１は、ユーザのＩＣカード２０から取得したデータを破棄する。また、ＣＰＵ１１は、ＩＣリーダライタ１８の点灯を終了する。
【０１０１】
次に、自動改札機１０の動作例について説明する。  
図８は、自動改札機１０の動作例について説明するためのフローチャートである。自動改札機１０は、図３に示すようなＳ１１乃至Ｓ２０の動作と図５に示す各動作とを行う。Ｓ１１乃至Ｓ２０については、第１実施形態と同様であるため図示を省略する。また、図８において、第１実施形態と同様の動作については、同一の符号を付して説明を省略する。
【０１０２】
再タッチを促す再タッチ案内を提示すると（Ｓ２３）、ＣＰＵ１１は、ユーザが通行路内にいるか判定する（Ｓ６１）。ユーザが通行路内にいると判定すると（Ｓ６１、ＹＥＳ）、ＣＰＵ１１は、Ｓ２４に進む。
【０１０３】
ユーザが通行路内にいないと判定すると（Ｓ６１、ＮＯ）、ＣＰＵ１１は、動作を終了する。
【０１０４】
なお、自動改札機は、ユーザが通行路内にいる場合には、他のＩＣカード２０からデータを取得しても当該データに基づいて改札処理を行わなくともよい。  
また、自動改札機１０は、第２乃至第４実施形態に係る自動改札機１０の特徴を備えてもよい。
【０１０５】
以上のように構成された自動改札機は、ユーザが通行路内にいる場合に、再タッチを待つ。また、自動改札機は、ユーザが通行路内から退去すると、処理を終了する。その結果、自動改札機は、ユーザがすでに通行路内から退去しているにも関わらず継続して再タッチを待つことを防止することができる。
（第６実施形態）
次に、第６実施形態について説明する。  
第６実施形態に係る自動改札機１０は、自動改札機１０が設置される駅が定期券情報の有効区間内である場合に再タッチを要求する点で第１実施形態の自動改札機１０と異なる。従って、その他の点については同一の符号を付して詳細な説明を省略する。
【０１０６】
まず、ＣＰＵ１１が実現する機能について説明する。  
ＣＰＵ１１は、自動改札機１０が設置される駅が定期券情報の有効区間内であるか判定する機能を有する。  
ＣＰＵ１１は、予め自動改札機１０が設置される駅を取得するものとする。ＣＰＵ１１は、当該駅が定期券情報の有効区間内であるか判定する。
【０１０７】
また、ＣＰＵ１１は、自動改札機１０が設置される駅が定期券情報の有効区間内である場合に、ＩＣカード２０から再度ＩＤを受信する機能を有する。
【０１０８】
次に、自動改札機１０の動作例について説明する。  
図９は、自動改札機１０の動作例について説明するためのフローチャートである。自動改札機１０は、図３に示すようなＳ１１乃至Ｓ２０の動作と図９に示す各動作とを行う。Ｓ１１乃至Ｓ２０については、第１実施形態と同様であるため図示を省略する。また、図９において、第１実施形態と同様の動作については、同一の符号を付して説明を省略する。
【０１０９】
改札処理日が定期券情報の有効期間内でないと判定すると（Ｓ１３、ＮＯ）、ＣＰＵ１１は、自動改札機１０が設置される駅が定期券情報の有効区間内であるか判定する（Ｓ７１）。
【０１１０】
自動改札機１０が設置される駅が定期券情報の有効区間内であると判定すると（Ｓ７１、ＹＥＳ）、ＣＰＵ１１は、Ｓ２１に進む。  
自動改札機１０が設置される駅が定期券情報の有効区間内でないと判定すると（Ｓ７１、ＮＯ）、ＣＰＵ１１は、Ｓ２６に進む。
【０１１１】
なお、自動改札機１０は、第２乃至第５実施形態に係る自動改札機１０の特徴を備えてもよい。
【０１１２】
以上のように構成される自動改札機は、定期券情報の有効区間外において再タッチを要求しない。そのため、自動改札機は、ユーザが定期券を用いて改札処理を行うものとは考えない区間においては、再タッチを要求しない。その結果、自動改札機は、ユーザに不要な再タッチをさせることを防止することができる。
【０１１３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１４】
１０…自動改札機、１１…ＣＰＵ、１３…人間検知部、１４…表示部、１５…スピーカ部、１８…ＩＣリーダライタ、２０…ＩＣカード、２１…ＣＰＵ、２４…ＮＶＭ、２４ａ乃至２４ｄ…記憶領域、２５…通信部。
【図１】
2018045487.tif 000003
【図２】
2018045487.tif 000004
【図３】
2018045487.tif 000005
【図４】
2018045487.tif 000006
【図５】
2018045487.tif 000007
【図６】
2018045487.tif 000008
【図７】
2018045487.tif 000009
【図８】
2018045487.tif 000010
【図９】
2018045487.tif 000011